(57)【要約】  本発明の半導体モジュール１は、第１絶縁性基板１１及び第１導電体層１２を有する第１基板１０と、第１電極２１、第２電極２２及びゲート電極２３を有するパワーデバイス部と、第２絶縁性基板３１及び第２導電体層３２を有し、第２導電体層３２が、接合部３３及び平面視において接合部３３を取り囲む位置に形成された囲繞壁部３４を有する第２基板３０と、内側樹脂部４０と、制御ＩＣ５０と、外側樹脂部６０とを備え、平面視において囲繞壁部３４によって画定された領域の外側にゲート電極２３が位置するようにパワーデバイス部が配置され、ゲート電極２３が、接続部材７０を介して制御ＩＣ５０の出力端子５２と電気的に接続されている。  本発明のパワー半導体装置によれば、パワーデバイス部上の大部分に第２基板が配置されている場合であっても制御ＩＣでパワーデバイス部を制御可能な半導体モジュールを提供することができる。
2017130420.tif 000002
【特許請求の範囲】
【請求項１】
第１絶縁性基板及び前記第１絶縁性基板の少なくとも一方面に設けられた第１導電体層を有する第１基板と、
一方面に第１電極を有し、かつ、他方面に第２電極及びゲート電極を有し、前記第１電極が前記第１導電体層に接合されたパワーデバイス部と、
第２絶縁性基板及び前記第２絶縁性基板の少なくとも一方面に設けられた第２導電体層を有し、前記第２導電体層が、前記第２電極と接合する接合部及び平面視において前記接合部を取り囲む位置に上端面が前記接合部と前記第２電極との接合面よりも突出した状態で形成された囲繞壁部を有し、前記囲繞壁部を介して前記第１基板と接している第２基板と、
前記囲繞壁部によって画定され、かつ、前記第１絶縁性基板及び前記第２絶縁性基板に挟まれた空間に配置された樹脂からなる内側樹脂部と、
前記パワーデバイス部とは離間した位置に配置された制御ＩＣと、
前記第１基板の一方面側に、前記第２基板及び前記制御ＩＣを少なくとも覆うように配置された樹脂からなる外側樹脂部とを備える半導体モジュールであって、
平面視において前記囲繞壁部によって画定された領域の外側に前記ゲート電極が位置するように前記パワーデバイス部が配置され、
前記ゲート電極は、所定の接続部材を介して前記制御ＩＣの出力端子と電気的に接続されていることを特徴とする半導体モジュール。
【請求項２】
前記囲繞壁部は、平面視において前記接合部を取り囲む位置のうちの所定の部分のみに形成されていることを特徴とする請求項１に記載の半導体モジュール。
【請求項３】
前記パワーデバイス部は、１つの半導体素子からなり、
前記半導体素子は、一方面に第１電極を有し、かつ、他方面に第２電極及びゲート電極を有することを特徴とする請求項１又は２に記載の半導体モジュール。
【請求項４】
前記パワーデバイス部は、複数の半導体素子が積層された構造を有し、
前記複数の半導体素子のうちの少なくとも２つの半導体素子はいずれも、一方面に第１電極を有し、かつ、他方面に第２電極及びゲート電極を有し、
前記少なくとも２つの半導体素子のそれぞれの前記ゲート電極が平面視において重ならない位置に位置するように前記少なくとも２つの半導体素子が積層されていることを特徴とする請求項１又は２に記載の半導体モジュール。
【請求項５】
前記パワーデバイス部は、複数の半導体素子が積層された構造を有し、
前記複数の半導体素子のうちの少なくとも一つの半導体素子は、一方面に第１電極を有し、かつ、他方面に第２電極及びゲート電極を有することを特徴とする請求項１又は２に記載の半導体モジュール。
【請求項６】
前記囲繞壁部は、前記接合部と連続した状態で形成され、
前記第１基板は、前記第１絶縁性基板の一方面における前記第１導電体層と離間した位置で前記囲繞壁部と接合される第３導電体層をさらに有し、
前記第３導電体層は、前記囲繞壁部及び前記接合部を介して前記第２電極と電気的に接続されていることを特徴とする請求項１〜５のいずれかに記載の半導体モジュール。
【請求項７】
前記第３導電体層には、前記囲繞壁部と係合するための溝部が形成されていることを特徴とする請求項６に記載の半導体モジュール。
【請求項８】
前記囲繞壁部は、前記接合部と離間した状態で形成されていることを特徴とする請求項１〜５のいずれかに記載の半導体モジュール。
【請求項９】
前記第１基板は、前記第１絶縁性基板の一方面における前記第１導電体層と離間した位置で前記囲繞壁部と接合される第３導電体層をさらに有し、
前記第３導電体層は、前記囲繞壁部と係合するための溝部が形成されていることを特徴とする請求項８に記載の半導体モジュール。
【請求項１０】
前記第２基板の他方面には、パワーデバイス部搭載用導電体層が設けられており、
前記パワーデバイス部搭載用導電体層上には、第２パワーデバイス部が配置されていることを特徴とする請求項１〜９のいずれかに記載の半導体モジュール。
【請求項１１】
前記第２パワーデバイス部は、一方面に前記パワーデバイス部搭載用導電体層と電気的に接続されている第１電極を有し、
前記第２絶縁性基板が、前記接合部に対応する位置に設けられた孔を有し、
前記第２絶縁性基板の孔の内側には第２接続部材が配置され、
前記第２パワーデバイス部の前記第１電極は、当該第２接続部材を介して前記パワーデバイス部の前記第２電極と電気的に接続されていることを特徴とする請求項１０に記載の半導体モジュール。
【請求項１２】
前記接合部及び前記囲繞壁部は、１の銅層から形成されたものであることを特徴とする請求項１〜１１のいずれかに記載の半導体モジュール。
【発明の詳細な説明】
【技術分野】
【０００１】
本発明は、半導体モジュールに関する。
【背景技術】
【０００２】
従来、基板と半導体素子とを備える半導体モジュールが知られている（例えば、特許文献１参照。）。【０００３】
従来の半導体モジュール８は、図１２に示すように、絶縁性基板８１１、絶縁性基板８１１の一方面に設けられた導電体層８１２及び導電体層８１２とは離間した位置に設けられた他の導電体層８１３，８１４を有する基板８１０と、一方面（図１２の下側の面）に第１電極８２１を有し他方面（図１２の上側の面）に２つの第２電極８２２，８２３を有し、第１電極８２１が導電体層８１２に接合されたデバイス部（半導体素子）８２０と、絶縁性基板８１１の外周に沿って形成された壁部８１６と、絶縁性基板８１１と壁部８１６とで構成される升状の空間に樹脂を配置することにより形成された樹脂部８６０と、樹脂部８６０の上面に配置された樹脂製の蓋部８６２と、一方端が他の導電体層８１３，８１４と電気的に接続され、かつ、当該一方端から樹脂部８６０及び蓋部８６２を介して外部（鉛直上方）に向かって延出された外部接続用の端子８７４，８７６とを備える。【０００４】
半導体素子８２０の２つの第２電極８２２，８２３のうち、一方の第２電極８２２は、ワイヤ８７０及び他の導電体層８１３を介して端子８７４と電気的に接続され、他方の第２電極８２３は、ワイヤ８７２を介して端子８７６と電気的に接続されている。【０００５】
従来の半導体モジュール８は、基板８１０と壁部８１６とで構成される升状の空間に樹脂を配置することにより形成された樹脂部８６０を備えるため、耐衝撃性を有する半導体モジュールとなる。【０００６】
ところで、近年、半導体モジュールの技術の分野においては、樹脂封止するための構造を容易に形成することができる半導体モジュールが求められている。【０００７】
そこで、本発明の発明者らは、樹脂封止するための構造を容易に形成することができる半導体モジュールを想到し、ＰＣＴ／ＪＰ２０１５／０５１６５５(以下、先願という。)として既に出願している。【０００８】
先願に係る半導体モジュール９は、図１３に示すように、第１絶縁性基板９１１及び第１絶縁性基板９１１の少なくとも一方面に設けられた第１導電体層９１２を有する第１基板９１０と、一方面に第１電極９２１を有し、かつ、他方面に第２電極９２２を有し、第１電極９２１が第１導電体層９１２に接合されたデバイス部（半導体素子）９２０と、第２絶縁性基板９３１及び第２絶縁性基板９３１の少なくとも一方面に設けられた第２導電体層９３２を有し、第２導電体層９３２が、第２電極９２２と接合する接合部９３３及び平面視において接合部９３３を取り囲む位置に上端面が接合部９３３と第２電極９２２との接合面よりも突出した状態で形成された囲繞壁部９３４を有し、囲繞壁部９３４を介して第１基板９１０と接している第２基板９３０と、囲繞壁部９３４によって画定され、かつ、第１絶縁性基板９１１及び第２絶縁性基板９３１に挟まれた空間に配置された樹脂からなる樹脂部９４０とを備える。【０００９】
先願に係る半導体モジュール９においては、平面視において囲繞壁部９３４によって画定された領域の内側にデバイス部９２０全体が位置するようにデバイス部９２０が配置されている。【００１０】
先願に係る半導体モジュール９によれば、第２導電体層９３２が平面視において接合部９３３を取り囲む位置に、かつ、上端面が接合部９３３と第２電極９２２との接合面よりも上に突出した状態で形成されている囲繞壁部９３４を有するため、樹脂封止するための構造を形成するための部材（例えば、従来の半導体モジュール８における壁部８１６）を別途準備する必要がなく、樹脂封止するための構造を容易に形成することができる。【００１１】
また、先願に係る半導体モジュール９によれば、デバイス部９２０の第２電極９２２が第２導電体層９３２に接合されているため、第２導電体層９３２を外部接続用の端子と電気的に接続することにより、ワイヤよりも断面積が大きく抵抗が低い第２導電体層９３２を介してデバイス部９２０の第２電極９２２と外部接続用の端子とを電気的に接続することができる。従って、半導体モジュールに大電流を流したときに不具合が生じ難く、先願に係る半導体モジュール９は、従来よりも高い信頼性を有する半導体モジュールとなる。【００１２】
また、先願に係る半導体モジュール９によれば、デバイス部９２０の第２電極９２２が、第２絶縁性基板９３１の一方面に設けられた第２導電体層９３２に接合されているため、デバイス部９２０で発生した熱を第１導電体層９１２及び第１絶縁性基板９１１を介して外部へ放熱するのに加えて、第２導電体層９３２及び第２絶縁性基板９３１を介して外部へ放熱することができる。従って、先願に係る半導体モジュール９は、従来よりも高い放熱性を有する半導体モジュールとなる。
【先行技術文献】
【特許文献】
【００１３】
【特許文献１】特開２００６−１３４９９０号公報
【発明の概要】
【発明が解決しようとする課題】
【００１４】
ところで、このような半導体モジュールにおいて、デバイス部としてゲート電極を有するパワーデバイス部（パワー半導体素子）を用い、当該パワーデバイス部を制御ＩＣで制御する場合、制御ＩＣは微細な構造を有するため、径が小さい接続部材（例えばワイヤ等）を介して制御ＩＣの出力端子とゲート電極とを接続することが好ましい。【００１５】
しかしながら、先願に係る半導体モジュール９においては、第２基板９３０の接合部９３３とデバイス部９２０の第２電極９２２とが接合され（すなわち、デバイス部９２０の上に第２基板９３０が配置され）、さらには、平面視において囲繞壁部９３４によって画定された領域の内側にデバイス部９２０全体が位置するようにデバイス部９２０が配置されているため、デバイス部としてゲート電極を有するパワーデバイス部（パワー半導体素子）を用いた場合には、パワーデバイス部のゲート電極と制御ＩＣの出力端子とを径が小さい接続部材（ワイヤ等）で接続することができない、という問題がある。【００１６】
そこで、本発明は、上記した問題を解決するためになされたものであり、パワーデバイス部上の大部分に第２基板が配置されている場合であっても、パワーデバイス部のゲート電極と制御ＩＣの出力端子とを径が小さい接続部材で接続することにより制御ＩＣでパワーデバイス部を制御可能な半導体モジュールを提供することを目的とする。
【課題を解決するための手段】
【００１７】
［１］本発明の半導体モジュールは、第１絶縁性基板及び前記第１絶縁性基板の少なくとも一方面に設けられた第１導電体層を有する第１基板と、一方面に第１電極を有し、かつ、他方面に第２電極及びゲート電極を有し、前記第１電極が前記第１導電体層に接合されたパワーデバイス部と、第２絶縁性基板及び前記第２絶縁性基板の少なくとも一方面に設けられた第２導電体層を有し、前記第２導電体層が、前記第２電極と接合する接合部及び平面視において前記接合部を取り囲む位置に上端面が前記接合部と前記第２電極との接合面よりも突出した状態で形成された囲繞壁部を有し、前記囲繞壁部を介して前記第１基板と接している第２基板と、前記囲繞壁部によって画定され、かつ、前記第１絶縁性基板及び前記第２絶縁性基板に挟まれた空間に配置された樹脂からなる内側樹脂部と、前記パワーデバイス部とは離間した位置に配置された制御ＩＣと、前記第１基板の一方面側に、前記第２基板及び前記制御ＩＣを少なくとも覆うように配置された樹脂からなる外側樹脂部とを備える半導体モジュールであって、平面視において前記囲繞壁部によって画定された領域の外側に前記ゲート電極が位置するように前記パワーデバイス部が配置され、前記ゲート電極が、所定の接続部材を介して前記制御ＩＣの出力端子と電気的に接続されていることを特徴とする。【００１８】
なお、本明細書中、「接合部を取り囲む位置に・・・形成された囲繞壁部」とは、接合部の周囲のうちの全周に囲繞壁部が形成されている場合のみならず、接合部の周囲のうちの一部のみに囲繞壁部が形成されている場合も含む。また、本明細書中、「第２基板及び制御ＩＣを少なくとも覆う」とは、第２基板及び制御ＩＣのみを覆う場合だけでなく、第２基板及び制御ＩＣの他に、パワーデバイス部のゲート電極、第１絶縁性基板の一部、各導電体層の一部及び（又は）接続部材等を覆う場合も含む。【００１９】
［２］本発明の半導体モジュールにおいては、前記囲繞壁部は、平面視において前記接合部を取り囲む位置のうちの所定の部分のみに形成されていることが好ましい。【００２０】
［３］本発明の半導体モジュールにおいては、前記パワーデバイス部は、１つの半導体素子からなり、前記半導体素子は、一方面に第１電極を有し、かつ、他方面に第２電極及びゲート電極を有することが好ましい。【００２１】
［４］本発明の半導体モジュールにおいては、前記パワーデバイス部は、複数の半導体素子が積層された構造を有し、前記複数の半導体素子のうちの少なくとも２つの半導体素子はいずれも、一方面に第１電極を有し、かつ、他方面に第２電極及びゲート電極を有し、前記少なくとも２つの半導体素子のそれぞれの前記ゲート電極が平面視において重ならない位置に位置するように前記少なくとも２つの半導体素子が積層されていることが好ましい。【００２２】
［５］本発明の半導体モジュールにおいては、前記パワーデバイス部は、複数の半導体素子が積層された構造を有し、前記複数の半導体素子のうちの少なくとも一つの半導体素子は、一方面に第１電極を有し、かつ、他方面に第２電極及びゲート電極を有することが好ましい。【００２３】
［６］本発明の半導体モジュールにおいては、前記囲繞壁部は、前記接合部と連続した状態で形成され、前記第１基板は、前記第１絶縁性基板の一方面における前記第１導電体層と離間した位置で前記囲繞壁部と接合される第３導電体層をさらに有し、前記第３導電体層は、前記囲繞壁部及び前記接合部を介して前記第２電極と電気的に接続されていることが好ましい。【００２４】
［７］本発明の半導体モジュールにおいては、前記第３導電体層には、前記囲繞壁部と係合するための溝部が形成されていることが好ましい。【００２５】
［８］本発明の半導体モジュールにおいては、前記囲繞壁部は、前記接合部と離間した状態で形成されていることが好ましい。【００２６】
［９］本発明の半導体モジュールにおいては、前記第１基板は、前記第１絶縁性基板の一方面における前記第１導電体層と離間した位置で前記囲繞壁部と接合される第３導電体層をさらに有し、前記第３導電体層は、前記囲繞壁部と係合するための溝部が形成されていることが好ましい。【００２７】
［１０］本発明の半導体モジュールにおいては、前記第２基板の他方面には、パワーデバイス部搭載用導電体層が設けられており、前記パワーデバイス部搭載用導電体層には、第２パワーデバイス部が配置されていることが好ましい。【００２８】
［１１］本発明の半導体モジュールにおいては、前記第２パワーデバイス部は、一方面に前記パワーデバイス部搭載用導電体層と電気的に接続されている第１電極を有し、前記第２絶縁性基板が、前記接合部に対応する位置に設けられた孔を有し、前記第２絶縁性基板の孔の内側には第２接続部材が配置され、前記第２パワーデバイス部の前記第１電極は、当該第２接続部材を介して前記パワーデバイス部の前記第２電極と電気的に接続されていることが好ましい。【００２９】
［１２］本発明の半導体モジュールにおいては、前記接合部及び前記囲繞壁部は、１の銅層から形成されたものであることが好ましい。
【発明の効果】
【００３０】
本発明の半導体モジュールによれば、平面視において囲繞壁部によって画定された領域の外側にゲート電極が位置するようにパワーデバイス部が配置されているため、パワーデバイス部上の大部分に第２基板を備える場合であっても、パワーデバイス部のゲート電極と制御ＩＣの出力端子とを径の小さい接合部材（ワイヤ等）で接続することができる。その結果、本発明の半導体モジュールは、制御ＩＣでパワーデバイス部を制御可能な半導体モジュールとなる。【００３１】
また、本発明の半導体モジュールによれば、第２導電体層が、平面視において接合部を取り囲む位置に形成された囲繞壁部を有するため、パワーデバイス部に過大な負荷をかけたときの発熱によって内側樹脂部が発火した場合であっても、囲繞壁部が防火壁の役割を果たすことにより周囲への延焼を防ぐことができる。【００３２】
また、本発明の半導体モジュールによれば、第２導電体層が、平面視において接合部を取り囲む位置に形成された囲繞壁部を有するため、パワーデバイス部を外部から囲繞壁部で遮蔽することができ、パワーデバイス部の外部からのノイズによってパワーデバイス部に発振が起こることを防ぐことができ、その結果、本発明の半導体モジュールは、発振による不具合が少ない半導体モジュールとなる。
【図面の簡単な説明】
【００３３】
【図１】実施形態１に係る半導体モジュール１を示す図である。図１（ａ）は半導体モジュール１の断面図であり、図１（ｂ）は図１（ａ）のＡ−Ａ平断面図である。
【図２】第２基板３０を説明するために示す図である。図２（ａ）は第２基板３０の平面図であり、図２（ｂ）は図２（ａ）のＢ−Ｂ断面図である。
【図３】実施形態２に係る半導体モジュール２を示す図である。図３（ａ）は半導体モジュール２の断面図であり、図３（ｂ）は図３（ａ）のＣ−Ｃ平断面図である。
【図４】変形例１に係る半導体モジュール２ａを示す断面図である。
【図５】実施形態３に係る半導体モジュール３を示す平断面図である。
【図６】実施形態４に係る半導体モジュール４を示す図である。図６（ａ）は半導体モジュール４の断面図であり、図６（ｂ）は図６（ａ）のＤ−Ｄ平断面図である。
【図７】実施形態５に係る半導体モジュール５を示す断面図である。
【図８】第２基板３０ａを説明するために示す図である。図８（ａ）は第２基板３０ａの平面図であり、図８（ｂ）は図８（ａ）のＥ−Ｅ断面図である。
【図９】実施形態６に係る半導体モジュール６を示す断面図である。
【図１０】変形例２に係る半導体モジュール６ａを示す断面図である。
【図１１】変形例３に係る半導体モジュール７を示す平断面図である。
【図１２】従来の半導体モジュール８を示す断面図である。なお、符号８１５は基板８１０の放熱用導電体層を示す。
【図１３】先願に係る半導体モジュール９を示す断面図である。なお、符号９１３は第３導電体層を示し、符号９１５は第１基板９１０の放熱用導電体層を示し、符号９１６は溝部を示し、符号９３５は第２基板９３０の放熱用導電体層を示し、符号９３７は平坦部を示し、符号Ｓははんだを示す。
【発明を実施するための形態】
【００３４】
以下、本発明の半導体モジュールについて、図に示す実施形態に基づいて説明する。
【００３５】
［実施形態１］
１．実施形態１に係る半導体モジュール１の構成
実施形態１に係る半導体モジュール１は、図１に示すように、第１基板１０と、パワーデバイス部と、第２基板３０と、内側樹脂部４０と、制御ＩＣ５０と、外側樹脂部６０と、ワイヤ（接続部材）７０とを備える
【００３６】
第１基板１０は、第１絶縁性基板１１と、第１絶縁性基板１１の一方面に設けられた第１導電体層１２と、第１導電体層１２と離間した位置で、後述する囲繞壁部３４と接合される第３導電体層１３と、第１導電体層１２及び第３導電体層１３とは離間した位置に設けられ制御ＩＣ５０が配置される第４導電体層１４と、第１絶縁性基板１１の他方面に設けられた放熱用導電体層１５とを有する実装基板である。
【００３７】
第１基板１０において、第１絶縁性基板１１は、セラミックス（例えば、アルミナ）からなり、第１導電体層１２、第３導電体層１３、第４導電体層１４及び放熱用導電体層１５は、金属（例えば銅）からなる。第１基板１０は、第１絶縁性基板１１と各導電体層が共晶接合によって接合されているＤＣＢ基板（Ｄｉｒｅｃｔ  Ｃｕｐｐｅｒ  Ｂｏｎｄｉｎｇ基板）である。このような構成とすることにより、高い放熱性を有する半導体モジュールとなる。
【００３８】
第３導電体層１３には、後述する囲繞壁部３４と係合するための溝部１６が形成されている。溝部１６は第３導電体層をエッチングすることにより形成されたものである。なお、第３導電体層１３は、一部が樹脂に覆われていないことにより、又は外部接続用の端子と電気的に接続されていることにより、外部との接続が可能となっている。
【００３９】
パワーデバイス部は、１つの半導体素子２０からなり、一方面（図１の下側）に第１電極２１を有し、かつ、他方面（図１の上側）に第２電極２２及びゲート電極２３を有する。パワーデバイス部は、平面視において囲繞壁部３４によって画定された領域の外側にゲート電極２３が位置するように配置されている。半導体素子２０は、３端子の半導体素子（例えば、ＩＧＢＴ）である。
【００４０】
ゲート電極２３は、後述するワイヤ７０を介して制御ＩＣ５０の出力端子５２と電気的に接続されている。第１電極２１は第１導電体層１２と、第２電極２２は後述する第２基板３０の接合部３３と、それぞれ接合材Ｓ（例えば、はんだ）を介して接合されている。
【００４１】
第２基板３０は、図１及び図２に示すように、第２絶縁性基板３１、第２絶縁性基板３１の一方面に設けられた第２導電体層３２及び第２絶縁性基板３１の他方面に設けられた放熱用導電体層３５を有し、第２導電体層３２が、第２電極２２と接合する接合部３３、平面視において接合部３３を取り囲む位置に上端面が接合部３３と第２電極２２との接合面よりも突出した状態で形成された囲繞壁部３４及び平坦部３７を有し、囲繞壁部３４を介して第１基板１０の第３導電体層１３と接している。
【００４２】
第２基板３０において、第２絶縁性基板３１は、セラミックス（例えば、アルミナ）からなり、第２導電体層３２及び放熱用導電体層３５は、金属（例えば銅）からなる。第２基板３０は、第２絶縁性基板３１と各導電体層が共晶接合によって接合されているＤＣＢ基板である。なお、接合部３３及び囲繞壁部３４は、１の銅層をエッチングすることによって形成されたものである。このような構成とすることにより、接合部３３及び囲繞壁部３４を精度よく形成することができる。
【００４３】
囲繞壁部３４は、平面視において接合部３３を取り囲む位置のうちの接合部３３の全周の３／４にわたって取り囲む位置にのみ形成されている（図１（ｂ）参照。）。すなわち、囲繞壁部３４の形状は、平面視において「コ」の字形状をしている。
【００４４】
囲繞壁部３４は、第２導電体層３２の平坦部３７を介して接合部３３と連続した状態で形成されている。囲繞壁部３４は、第１基板１０の第３導電体層１３の溝部１６に係合されており、接合材（例えばはんだ）を介して接合されている。これにより、第３導電体層１３は、囲繞壁部３４及び接合部３３を介して第２電極２２と電気的に接続されている。第２電極２２と
【００４５】
第２絶縁性基板３１と第２導電体層３２との境界面から囲繞壁部３４の上端面までの長さは例えば、０．２〜１．０ｍｍの範囲内にある。接合部３３の厚みは、例えば０．１５〜０．５ｍｍの範囲内にある。
【００４６】
内側樹脂部４０は、図１に示すように、「囲繞壁部３４によって画定され、かつ、第１絶縁性基板１１及び第２絶縁性基板３１に挟まれた空間」に配置された樹脂からなる。内側樹脂部４０を構成する樹脂は、適宜の樹脂（例えば、エポキシ樹脂）を用いることができる。内側樹脂部４０は、平面視において接合部３３を取り囲む位置のうちの囲繞壁部３４が形成されていない位置において第１絶縁性基板１１と第２絶縁性基板３１とで挟まれた空間を介して樹脂が注入されてなる。
【００４７】
制御ＩＣ５０は、パワーデバイス部のゲート電極２３のオンオフを制御することによりパワーデバイス部の駆動を制御する。制御ＩＣ５０は、パワーデバイス部とは離間した位置において第４導電体層１４と接合材（例えばはんだ）を介して配置されている。制御ＩＣ５０は、所定の出力端子５２を有し、当該出力端子５２とゲート電極２３とがワイヤ７０を介して電気的に接続されている。
【００４８】
外側樹脂部６０は、第１基板１０の一方面側に、パワーデバイス部のゲート電極２３、第２基板３０及び制御ＩＣ５０覆うように配置された樹脂からなる。外側樹脂部６０を構成する樹脂は、内側樹脂部４０の樹脂と同じ樹脂を用いるが異なる樹脂を用いることもできる。
【００４９】
ワイヤ（接続部材）７０としては、径が細いワイヤであれば適宜のワイヤを用いることができ、例えば金線ワイヤを用いることができる。
【００５０】
２．実施形態１に係る半導体モジュール１の効果
実施形態１に係る半導体モジュール１によれば、平面視において囲繞壁部３４によって画定された領域の外側にゲート電極２３が位置するようにパワーデバイス部が配置されているため、パワーデバイス部上の大部分に第２基板３０を備える場合であっても、パワーデバイス部のゲート電極２３と制御ＩＣ５０の出力端子５２とを径の小さいワイヤ７０で接続することができる。その結果、実施形態１に係る半導体モジュール１は、制御ＩＣ５０でパワーデバイス部を制御可能な半導体モジュールとなる。
【００５１】
また、実施形態１に係る半導体モジュール１によれば、第２導電体層３２が、平面視において接合部３３を取り囲む位置に形成された囲繞壁部３４を有するため、パワーデバイス部に過大な負荷をかけたときの発熱によって内側樹脂部４０が発火した場合であっても、囲繞壁部３４が防火壁の役割を果たすことにより周囲への延焼を防ぐことができる。
【００５２】
また、実施形態１に係る半導体モジュール１によれば、第２導電体層３２が、上記した構成を有する囲繞壁部３４を有するため、パワーデバイス部を外部から囲繞壁部３４で遮蔽することができ、パワーデバイス部の外部からのノイズによってパワーデバイス部に発振が起こることを防ぐことができ、その結果、実施形態１に係る半導体モジュール１は、発振による不具合が少ない半導体モジュールとなる。
【００５３】
また、実施形態１に係る半導体モジュール１によれば、囲繞壁部３４は、平面視において接合部３３を取り囲む位置のうちの所定の部分のみに形成されているため、内側樹脂部４０を形成する際に、「平面視において接合部３３を取り囲む位置のうちの囲繞壁部３４が形成されていない位置において第１絶縁性基板１１と第２絶縁性基板３１とで挟まれた空間」を介して樹脂を注入することができる。
【００５４】
また、実施形態１に係る半導体モジュール１によれば、パワーデバイス部は、１つの半導体素子２０からなり、当該半導体素子２０は、一方面に第１電極２１を有し、かつ、他方面に第２電極２２及びゲート電極２３を有するため、配線設計が簡便な半導体モジュールとなる。
【００５５】
実施形態１に係る半導体モジュール１において、囲繞壁部３４は、接合部３３と連続した状態で形成され、第１基板１０は、第２絶縁性基板３１の一方面における第１導電体層１２と離間した位置で囲繞壁部３４と接合される第３導電体層１３をさらに有し、第３導電体層１３は、接合部３３及び囲繞壁部３４を介して第２電極２２と電気的に接続されている。
このような構成とすることにより、パワーデバイス部の第２電極２２が、接合部３３、囲繞壁部３４及び第３導電体層１３を介して外部と電気的に接続することができる。そして、接合部３３、囲繞壁部３４及び第３導電体層１３はいずれもワイヤよりも断面積が大きく抵抗が低いため半導体モジュールに大電流を流したときに不具合が生じ難く、より一層高い信頼性を有する半導体モジュールとなる。
【００５６】
また、実施形態１に係る半導体モジュール１によれば、上記した構成を有するため、パワーデバイス部で発生した熱を接合部３３、囲繞壁部３４及び第３導電体層１３を介して外部へ放熱することができ、より一層高い放熱性を有する半導体モジュールとなる。
【００５７】
また、実施形態１に係る半導体モジュール１によれば、第３導電体層１３には、囲繞壁部３４と係合するための溝部１６が形成されているため、半導体モジュールの製造過程において、第１基板１０上に第２基板３０を搭載する際に、第２基板３０の囲繞壁部３４を第３導電体層の溝部１６へはめ込むことで容易に位置決めすることができる。
【００５８】
また、実施形態１に係る半導体モジュール１によれば、接合部３３及び囲繞壁部３４は、１の銅層から形成されたものであるため、半導体モジュールの製造過程において、接合材（例えばはんだ）を溶融するために高温炉に入れたときであっても、囲繞壁部３４の長さはほとんど変化しない。従って、第２基板３０の荷重が囲繞壁部３４に分散されるため、第２基板３０の荷重がパワーデバイス部に集中することがない。その結果、半導体モジュールの製造過程においてパワーデバイス部が壊れにくくなるため、歩留りが高い半導体モジュールとなるだけでなく、接合材（例えばはんだ）を溶融するために高温炉に入れたときであっても、接合材の厚みが変化してしまうことを防ぐことができ、信頼性が高い半導体モジュールとなる。
【００５９】
また、実施形態１に係る半導体モジュール１によれば、接合部３３及び囲繞壁部３４は、１の銅層から形成されたものであるため、囲繞壁部３４が傾いたりすることもないため、半導体モジュールの製造過程において、第２基板３０が平面視においてθ方向に回転してしまうこともなく、第２基板３０を正確に位置決めすることができる。
【００６０】
［実施形態２］
実施形態２に係る半導体モジュール２は、基本的には実施形態１に係る半導体モジュール１と同様の構成を有するが、パワーデバイス部の構成が実施形態１に係る半導体モジュール１の場合とは異なる。すなわち、実施形態２に係る半導体モジュール２において、パワーデバイス部は、図３に示すように、２つの半導体素子２０ａ、２０ｂが積層された構造を有する。
【００６１】
２つの半導体素子２０ａ、２０ｂはいずれも、一方面に第１電極２１ａ、２１ｂを有し、かつ、他方面に第２電極２２ａ、２２ｂ及びゲート電極２３ａ、２３ｂを有する。２つの半導体素子２０ａ、２０ｂのそれぞれのゲート電極２３ａ、２３ｂが平面視において重ならない位置に位置するように２つの半導体素子２０ａ、２０ｂが積層されている。すなわち、２つの半導体素子２０ａ、２０ｂは互いに９０°の角度でずらされた状態で積層されている。
【００６２】
各ゲート電極２３ａ、２３ｂは、別々の制御ＩＣ５０ａ、５０ｂの出力端子５２ａ、５２ｂとそれぞれ接続されている。
【００６３】
囲繞壁部３４は、平面視において接合部３３を取り囲む位置のうちの接合部３３の全周の１／２の範囲にわたって取り囲む位置にのみ形成されている（図３（ｂ）参照。）。すなわち、囲繞壁部３４ａの形状は、平面視において「Ｌ」の字形状をしている。
【００６４】
このように、実施形態２に係る半導体モジュール２は、パワーデバイス部の構成が実施形態１に係る半導体モジュール１の場合とは異なるが、実施形態１に係る半導体モジュール１の場合と同様に、平面視において囲繞壁部３４によって画定された領域の外側にゲート電極２３ａ、２３ｂが位置するようにパワーデバイス部が配置されているため、パワーデバイス部上の大部分に第２基板３０を備える場合であっても、パワーデバイス部のゲート電極２３ａ、２３ｂと制御ＩＣ５０ａ、５０ｂの出力端子５２ａ、５２ｂとを径の小さいワイヤ７０で接続することができる。その結果、実施形態２に係る半導体モジュール２は、制御ＩＣ５０ａ、５０ｂでパワーデバイス部を制御可能な半導体モジュールとなる。
【００６５】
また、実施形態２に係る半導体モジュール２によれば、パワーデバイス部は、２つの半導体素子２０ａ、２０ｂが積層された構造を有することから、２つの半導体素子２０ａ、２０ｂを第１絶縁性基板１１の一方面に並べて配置した場合よりも占有面積を狭くすることができる。その結果、製品の小型化の要請を満たす半導体モジュールとなる。
【００６６】
また、実施形態２に係る半導体モジュール２によれば、２つの半導体素子２０ａ、２０ｂのそれぞれのゲート電極２３ａ、２３ｂが平面視において重ならない位置に位置するように２つの半導体素子２０ａ、２０ｂが積層されているため、各ゲート電極２３ａ、２３ｂと制御ＩＣ５０ａ、５０ｂの出力端子５２ａ、５２ｂとを、互いの半導体素子や囲繞壁部３４に邪魔されることなくワイヤ７０を介して接続することができ、制御ＩＣ５０ａ、５０ｂで各半導体素子２０ａ、２０ｂを制御することができる。その結果、製品の小型化の要請を満たしつつ、各半導体素子を制御可能な半導体モジュールとなる。
【００６７】
なお、実施形態２に係る半導体モジュール２は、パワーデバイス部の構成以外の点においては実施形態１に係る半導体モジュール１と同様の構成を有するため、実施形態１に係る半導体モジュール１が有する効果のうち該当する効果を有する。
【００６８】
［変形例１］
変形例１に係る半導体モジュール２ａは、基本的には実施形態２に係る半導体モジュール２と同様の構成を有するが、パワーデバイス部の構成が実施形態１に係る半導体モジュール１の場合とは異なる。すなわち、変形例１に係る半導体モジュール２ａにおいて、パワーデバイス部は、図４に示すように、３端子の半導体素子２０ａ上に２端子の半導体素子２０ｃが積層された構造を有する。
【００６９】
変形例１に係る半導体モジュール２ａにおいて、２端子の半導体素子２０ｃは、一方面（下側面）に形成された第１電極２１ｃが３端子の半導体素子２０ａの第２電極２２ａと電気的に接続されており、他方面（上側面）に形成された第２電極２２ｃが接合部３３と電気的に接続されている。
【００７０】
このように、変形例１に係る半導体モジュール２ａは、パワーデバイス部の構成が実施形態２に係る半導体モジュール２の場合とは異なるが、実施形態２に係る半導体モジュール２の場合と同様に、平面視において囲繞壁部３４によって画定された領域の外側にゲート電極２３ａが位置するようにパワーデバイス部が配置されているため、パワーデバイス部上の大部分に第２基板３０を備える場合であっても、パワーデバイス部のゲート電極２３ａと制御ＩＣ５０の出力端子５２とを径の小さいワイヤ７０で接続することができる。その結果、変形例１に係る半導体モジュール２ａは、制御ＩＣ５０でパワーデバイス部を制御可能な半導体モジュールとなる。
【００７１】
［実施形態３］
実施形態３に係る半導体モジュール３は、基本的には実施形態２に係る半導体モジュール２と同様の構成を有するが、パワーデバイス部の構成が実施形態２に係る半導体モジュール２の場合とは異なる。すなわち、実施形態３に係る半導体モジュール３において、パワーデバイス部は、図５に示すように、２つの半導体素子２０ａ、２０ｂが１８０°ずれた状態で積層された構造を有する。
【００７２】
囲繞壁部３４は、平面視において接合部３３を取り囲む位置のうちの所定の位置（直線状の２本の直線が互いに平行となる位置）にのみ形成されている。
【００７３】
このように、実施形態３に係る半導体モジュール３は、パワーデバイス部の構成が実施形態２に係る半導体モジュール２の場合とは異なるが、実施形態２に係る半導体モジュール２の場合と同様に、平面視において囲繞壁部３４によって画定された領域の外側にゲート電極２３ａ、２３ｂが位置するようにパワーデバイス部が配置されているため、パワーデバイス部上の大部分に第２基板３０を備える場合であっても、パワーデバイス部のゲート電極２３ａ、２３ｂと制御ＩＣ５０ａ、５０ｂの出力端子５２ａ、５２ｂとを径の小さいワイヤ７０で接続することができる。その結果、実施形態３に係る半導体モジュール３は、制御ＩＣ５０ａ、５０ｂでパワーデバイス部を制御可能な半導体モジュールとなる。
【００７４】
また、実施形態３に係る半導体モジュール３によれば、パワーデバイス部は、２つの半導体素子２０ａ、２０ｂが１８０°ずれた状態で積層された構造を有するため、ゲート電極２３ａとゲート電極２３ｂとの間隔を長くすることができ、当該ゲート電極同士の間で放電するおそれを確実に防ぐことができる。
【００７５】
また、実施形態３に係る半導体モジュール３によれば、パワーデバイス部は、２つの半導体素子２０ａ、２０ｂが１８０°ずれた状態で積層された構造を有するため、比較的細長い領域に半導体モジュールを設置することができる。
【００７６】
なお、実施形態３に係る半導体モジュール３は、パワーデバイス部の構成以外の点においては実施形態２に係る半導体モジュール２と同様の構成を有するため、実施形態２に係る半導体モジュール２が有する効果のうち該当する効果を有する。
【００７７】
［実施形態４］
実施形態４に係る半導体モジュール４は、基本的には変形例１に係る半導体モジュール２ａと同様の構成を有するが、第１基板側の半導体素子の第２電極と第２基板側の半導体素子の第１電極とが接続部材を介して接続されている点で変形例１に係る半導体モジュール２ａの場合とは異なる。すなわち、実施形態４に係る半導体モジュール４においては、図６に示すように、第１基板側の半導体素子２０ａの第２電極２２ａと第２基板側の半導体素子２０ｃの第１電極２１ｃとが接続子（接続部材）８０を介して接続されている。
【００７８】
接続子８０は、金属板を折り曲げて形成されたものであり、ワイヤよりも断面積が大きく抵抗が低い。接続子８０は、第１絶縁性基板１１の一方面に、第１導電体層１２、第３導電体層１３及び第４導電体層１４とは離間した位置に設けられた第５導電体層１７と接続されている。
【００７９】
このように、実施形態４に係る半導体モジュール４は、第１基板側の半導体素子の第２電極と第２基板側の半導体素子の第１電極とが接続部材を介して接続されている点で変形例１に係る半導体モジュール２ａの場合とは異なるが、変形例１に係る半導体モジュール２ａの場合と同様に、平面視において囲繞壁部３４によって画定された領域の外側にゲート電極２３が位置するようにパワーデバイス部が配置されているため、パワーデバイス部上の大部分に第２基板３０を備える場合であっても、パワーデバイス部のゲート電極２３と制御ＩＣ５０の出力端子５２とを径の小さいワイヤ７０で接続することができる。その結果、実施形態４に係る半導体モジュール４は、制御ＩＣ５０でパワーデバイス部を制御可能な半導体モジュールとなる。
【００８０】
また、実施形態４に係る半導体モジュール４によれば、接続子８０は、ワイヤよりも断面積が大きく抵抗が低いため半導体モジュールに大電流を流したときに不具合が生じ難く、より一層高い信頼性を有する半導体モジュールとなる。
【００８１】
なお、実施形態４に係る半導体モジュール４は、第１基板側の半導体素子の第２電極と第２基板側の半導体素子の第１電極とが接続部材を介して接続されている点以外の点においては変形例１に係る半導体モジュール２ａと同様の構成を有するため、変形例１に係る半導体モジュール２ａが有する効果のうち該当する効果を有する。
【００８２】
［実施形態５］
実施形態５に係る半導体モジュール５は、基本的には実施形態１に係る半導体モジュール１と同様の構成を有するが、第２導電体層の構成が実施形態１に係る半導体モジュール１の場合とは異なる。すなわち、実施形態５に係る半導体モジュール５における第２導電体層３２ａにおいては、図７及び図８に示すように、囲繞壁部３４ａが、接合部３３ａと離間した状態で形成されている。
【００８３】
第１基板１０は、第１絶縁性基板１１の一方面における第１導電体層１２と離間した位置で囲繞壁部３４ａと接合される第３導電体層１３をさらに有し、第３導電体層１３は、囲繞壁部３４ａと係合するための溝部１６が形成されている。
【００８４】
このように、実施形態５に係る半導体モジュール５は、第２導電体層の構成が実施形態１に係る半導体モジュール１の場合とは異なるが、実施形態１に係る半導体モジュール１の場合と同様に、平面視において囲繞壁部３４によって画定された領域の外側にゲート電極２３が位置するようにパワーデバイス部が配置されているため、パワーデバイス部上の大部分に第２基板３０を備える場合であっても、パワーデバイス部のゲート電極２３と制御ＩＣ５０の出力端子５２とを径の小さいワイヤ７０で接続することができる。その結果、実施形態５に係る半導体モジュール５は、制御ＩＣ５０でパワーデバイス部を制御可能な半導体モジュールとなる。
【００８５】
また、実施形態５に係る半導体モジュール５によれば、囲繞壁部３４ａが、接合部３３ａと離間した状態で形成されているため、囲繞壁部３４ａを介して他の導電体層や半導体素子と短絡してしまうことを防ぐことができ、破壊され難い半導体モジュールとなる。
【００８６】
なお、実施形態５に係る半導体モジュール５は、第２導電体層の構成以外の点においては実施形態１に係る半導体モジュール１と同様の構成を有するため、実施形態１に係る半導体モジュール１が有する効果のうち該当する効果を有する。
【００８７】
［実施形態６］
実施形態６に係る半導体モジュール６は、基本的には実施形態１に係る半導体モジュール１と同様の構成を有するが、第２基板の他方面側にもパワーデバイス部が配置されている点で実施形態１に係る半導体モジュール１の場合とは異なる。すなわち、実施形態６に係る半導体モジュール６においては、図９に示すように、第２基板３０の他方面側には、パワーデバイス部搭載用導電体層３５ａが設けられており、パワーデバイス部搭載用導電体層３５ａには、第２パワーデバイス部が配置されている。
【００８８】
第２パワーデバイス部は、１つの半導体素子２０ｄからなり、一方面に第１電極２１ｄを有し、かつ、他方面に第２電極２２ｄ及びゲート電極２３ｄを有する。第１電極２１ｄは接続部材（図示せず。）で第１基板１０の一方面に設けられた導電体層（図示せず。）に接続されており、第２電極２２ｄはパワーデバイス部搭載用導電体層３５ａと電気的に接続されており、ゲート電極２３ｄはワイヤ７０を介して（制御ＩＣ５０とは別の）制御ＩＣ５０ｄと電気的に接続されている。なお、パワーデバイス部搭載用導電体層３５ａは、第２導電体層３２と第２絶縁性基板３１によって絶縁されている。
【００８９】
このように、実施形態６に係る半導体モジュール６は、第２基板の他方面側にもパワーデバイスが配置されている点で実施形態１に係る半導体モジュール１の場合とは異なるが、実施形態１に係る半導体モジュール１の場合と同様に、平面視において囲繞壁部３４によって画定された領域の外側にゲート電極２３が位置するようにパワーデバイス部が配置されているため、パワーデバイス部上の大部分に第２基板３０を備える場合であっても、パワーデバイス部のゲート電極２３と制御ＩＣ５０の出力端子５２とを径の小さいワイヤ７０で接続することができる。その結果、実施形態４に係る半導体モジュール４は、制御ＩＣ５０でパワーデバイス部を制御可能な半導体モジュールとなる。
【００９０】
また、実施形態６に係る半導体モジュール６によれば、第２基板３０の他方面側には、パワーデバイス部搭載用導電体層３５ａが設けられており、パワーデバイス部搭載用導電体層３５ａには、第２パワーデバイス部（半導体素子２０ｄ）が配置されているため、２つの半導体素子２０ａ、２０ｄを第１絶縁性基板１１の一方面に並べて配置した場合よりも占有面積を狭くすることができる。その結果、製品の小型化の要請を満たす半導体モジュールとなる。
【００９１】
なお、実施形態６に係る半導体モジュール６は、第２基板の他方面側にもパワーデバイス部が配置されている点以外の点においては実施形態１に係る半導体モジュール１と同様の構成を有するため、実施形態１に係る半導体モジュール１が有する効果のうち該当する効果を有する。
【００９２】
［変形例２］
変形例２に係る半導体モジュール６ａは、基本的には実施形態６に係る半導体モジュール６と同様の構成を有するが、パワーデバイス部搭載用導電体層３５ａが第２導電体層３２と電気的に接続されている点で実施形態６に係る半導体モジュール６の場合とは異なる。すなわち、変形例２に係る半導体モジュール６ａにおいて、第２絶縁性基板３１には、図１０に示すように、接合部３３に対応する位置に孔が設けられ、第２絶縁性基板３１の孔の内側には接続部材８２が配置され、パワーデバイス部搭載用導電体層３５ａは、当該接続部材８２を介して第２導電体層３２と電気的に接続されている。なお、接続部材８２は、金属板を打ち抜き・折り曲げしたものである。
【００９３】
このように、変形例２に係る半導体モジュール６ａは、パワーデバイス部搭載用導電体層３５ａが第２導電体層３２と電気的に接続されている点で実施形態６に係る半導体モジュール６の場合とは異なるが、実施形態６に係る半導体モジュール６の場合と同様に、平面視において囲繞壁部３４によって画定された領域の外側にゲート電極２３ａが位置するようにパワーデバイス部が配置されているため、パワーデバイス部上の大部分に第２基板３０を備える場合であっても、パワーデバイス部のゲート電極２３ａと制御ＩＣ５０の出力端子５２とを径の小さいワイヤ７０で接続することができる。その結果、変形例２に係る半導体モジュール６ａは、制御ＩＣ５０でパワーデバイス部を制御可能な半導体モジュールとなる。
【００９４】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【００９５】
（１）上記実施形態において記載した構成要素の数、材質、形状、位置、大きさ等は例示であり、本発明の効果を損なわない範囲において変更することが可能である。
【００９６】
（２）上記実施形態２〜４においては、パワーデバイス部は、２つの半導体素子が積層した構造を有するが、本発明はこれに限定されるものではない。例えば、パワーデバイス部は、３つ以上の半導体素子が積層した構造を有してもよい（変形例３に係る半導体モジュール７、図１１参照。）。
【００９７】
（３）上記実施形態２においては、２つ半導体素子を９０°ずらした状態で積層し、上記実施形態３においては、２つの半導体素子を１８０°ずらした状態で積層したが、本発明はこれに限定されるものではない。例えば、２つ以上の半導体素子を４５°ずらした状態で積層してもよいし（例えば変形例３に係る半導体モジュール７、図１１参照。）、それ以外の角度でずらした状態で積層してもよい。
【００９８】
（４）上記各実施形態においては、第１基板をＤＣＢ基板としたが、本発明はこれに限定されるものではない。例えば、第１基板を一般的なプリント基板やアルミ基板としてもよい。
【００９９】
（５）上記各実施形態においては、第２基板をＤＣＢ基板としたが、本発明はこれに限定されるものではない。例えば、第２基板を一般的なプリント基板やアルミ基板としてもよい。
【０１００】
（６）上記実施形態１〜５においては、第１基板の他方面側及び第２基板の他方面側に放熱用導電体層を設けたが、本発明はこれに限定されるものではない。例えば、第１基板の他方面側及び第２基板の他方面側の少なくとも一方に電子部品搭載用の導電体層を設けてもよいし、導電体層自体を設けなくてもよい。また、放熱用導電体層１５上（又は放熱用導電体層３５上）に放熱フィンを配置してもよい。
【０１０１】
（７）上記各実施形態においては、接合部及び囲繞壁部を、一の導電体層をエッチングすることにより形成したが、本発明はこれに限定されるものではない。接合部及び囲繞壁部を別途形成し、それらを第２基板に接合することによって接合部及び囲繞壁部を形成してもよい。
【０１０２】
（８）上記実施形態３及び４においては、第３導電体層に、囲繞壁部と係合するための溝部が形成されているが、本発明はこれに限定されるものではない。第３導電体層に、溝部が形成されていなくてもよい。
【０１０３】
（９）上記実施形態６において、第２パワーデバイス部は、１つの半導体素子２０ｄからなるが、本発明はこれに限定されるものではない。第２パワーデバイス部は、複数の半導体素子が積層された構造を有していてもよい。
【符号の説明】
【０１０４】
１，２，２ａ，３，４，５，６，６ａ，７，８、９…半導体モジュール、１０…第１基板、１１…第１絶縁性基板、１２…第１導電体層、１３…第３導電体層、１４，１４ａ，１４ｂ，１４ｄ，１４ｅ…第４導電体層、１５…（第１基板の）放熱用導電体層、１６…溝部、１７…第５導電体層、２０，２０ａ，２０ｂ，２０ｄ，２０ｅ…（３端子の）半導体素子、２０ｃ…（２端子の）半導体素子、２１，２１ａ，２１ｂ，２１ｃ，２１ｄ，２１ｅ…第１電極、２２，２２ａ，２２ｂ，２２ｃ，２２ｄ，２２ｅ…第２電極、２３，２３ａ，２３ｂ，２３ｄ，２３ｅ…ゲート電極、３０…第２基板、３１…第２絶縁性基板、３２…第２導電体層、３３…接合部、３４…囲繞壁部、３５…（第２基板の）放熱用導電体層、３７…平坦部、４０…内側樹脂部、５０、５０ａ、５０ｂ、５０ｄ、５０ｅ…制御ＩＣ、５２，５２ａ，５２ｂ、５２ｄ、５２ｅ…出力端子、６０…外側樹脂部、７０…ワイヤ、８０…接続子、Ｓ…接合材
【図１】
2017130420.tif 000003
【図２】
2017130420.tif 000004
【図３】
2017130420.tif 000005
【図４】
2017130420.tif 000006
【図５】
2017130420.tif 000007
【図６】
2017130420.tif 000008
【図７】
2017130420.tif 000009
【図８】
2017130420.tif 000010
【図９】
2017130420.tif 000011
【図１０】
2017130420.tif 000012
【図１１】
2017130420.tif 000013
【図１２】
2017130420.tif 000014
【図１３】
2017130420.tif 000015
【国際調査報告】
2017130420.tif 000016
2017130420.tif 000017
2017130420.tif 000018
2017130420.tif 000019